(57)【要約】  被貼付面に対して薄膜を効率よく貼付できる構造を実現する。貼付対象の被貼付面への薄膜の貼付に用いる薄膜貼付装置（６００）を、貼付対象に装着可能なフレーム（６２０）と、使用時に前記被貼付面と対向する側面に、薄膜を仮貼付可能な仮貼付部を備え、仮貼付部を被貼付面に押付可能にフレーム（６２０）により支持され、かつ、フレーム（６２０）に対して着脱可能である薄膜保持部材とを備える。
2018061596.tif 000002
【特許請求の範囲】
【請求項１】
貼付対象の被貼付面への薄膜の貼付に用いる薄膜貼付装置であって、  前記貼付対象に装着可能なフレームと、  使用時に前記被貼付面と対向する側面に、前記薄膜を仮貼付可能な仮貼付部を備え、前記仮貼付部を前記被貼付面に押付可能に前記フレームに支持され、かつ、前記フレームに対して着脱可能である薄膜保持部材と、  を備えた薄膜貼付装置。
【請求項２】
前記薄膜保持部材が、  前記フレームに着脱可能な支持台と、  前記支持台に積層した状態で固定された軟性部材と、を備え、  前記軟性部材のうち、使用時に前記被貼付面と対向する側面に前記仮貼付部が設けられている、  請求項１に記載の薄膜貼付装置。
【請求項３】
前記フレームが、支持部を備え、  前記支持部は、前記フレームが前記貼付対象に装着されたときに前記薄膜保持部材の前記側面が前記被貼付面に対向するよう前記薄膜保持部材を支持する、  請求項１に記載の薄膜貼付装置。
【請求項４】
前記支持部が、前記フレームのフレーム本体に対して変位可能に設けられており、前記フレームが前記貼付対象に装着されたときに前記支持部が前記被貼付面を覆う第１の位置と、前記フレームが前記貼付対象に装着されたときに前記支持部が前記被貼付面を覆わない第２の位置との間を移動する、  請求項３に記載の薄膜貼付装置。
【請求項５】
前記フレームが、前記貼付対象に係止可能な係止部を有する、  請求項１に記載の薄膜貼付装置。
【請求項６】
前記仮貼付部が、曲面状である、  請求項１に記載の薄膜貼付装置。
【請求項７】
前記フレームは、前記貼付対象に装着されたときに前記被貼付面の位置座標取得の基準点を示す基準点指示部を有する、  請求項１に記載の薄膜貼付装置。
【請求項８】
薄膜貼付装置の仮貼付部に仮貼付された状態で貼付対象の被貼付面に押し付けられて前記被貼付面に貼付される薄膜を形成する、薄膜形成方法であって、  前記貼付対象を被写体とする画像であって、少なくとも被貼付面を含む、対象画像を取得するステップと、  前記対象画像のうち、前記薄膜貼付装置上の基準点に対する、前記被貼付面に相当する位置の座標を、対象座標として取得するステップと、  前記薄膜の薄膜素材上の、前記基準点に対する前記対象座標に相当する部分に、前記被貼付面に重畳する重畳画像を印刷するステップと、を備える薄膜形成方法。
【請求項９】
前記対象画像を取得するステップにおいて、前記対象画像に、解放状態の前記薄膜貼付装置を装着した前記貼付対象が映っており、  前記対象座標として取得するステップにおいて、前記基準点を、前記薄膜貼付装置の前面に形成された基準点支持部とする、  請求項８に記載の薄膜形成方法。
【請求項１０】
前記対象画像を取得するステップにおいて、前記対象画像に、前記薄膜貼付装置を装着していない前記貼付対象が映っており、  前記対象座標を取得するステップにおいて、前記対象画像から前記貼付対象の対象基点を取得し、前記対象基点に対する前記被貼付面に相当する位置の座標を、前記薄膜貼付装置上の基準点を原点とした座標に座標変換して、前記対象座標とする、  請求項８に記載の薄膜形成方法。
【発明の詳細な説明】
【技術分野】
【０００１】  本開示は、薄膜貼付装置および薄膜形成方法に関し、特に、美容シート等の薄膜を被貼付面（美容シートの場合には肌）に貼付する際に使用する薄膜貼付装置、および、このような薄膜貼付装置の使用に好適な薄膜形成方法に関する。
【背景技術】
【０００２】  従来、頬のシミといった肌の変色領域を目立たなくするための技術が存在している（例えば、特許文献１参照）。特許文献１に記載の技術は、まず、肌を撮影した画像から肌の変色領域を識別する。そして、肌に貼り付け可能であって、非変色領域の色が印刷された美容シート（薄膜）を、変色領域と同一のサイズまたは変色領域よりも大きいサイズで生成する。このようにして造られた美容シートを肌に貼付することにより、肌の変色領域を目立たなくする事ができる。
【先行技術文献】
【特許文献】
【０００３】
【特許文献１】特開２０１５−４３８３６号公報
【特許文献２】特開２０１４−１４０９７８号公報
【特許文献３】特開平３−１５７３１３号公報
【特許文献４】特開平９−３０２２９４号公報
【特許文献５】特開２０１２−２０３４２５号公報
【発明の概要】
【０００４】  特許文献１に記載された薄膜を、ユーザは手で掴んで肌へ貼付するため、薄膜上の画像部が貼付目標である被貼付面からずれた状態で貼付される可能性がある。このような場合には、ユーザは、薄膜を被貼付面から剥がして、貼付し直すことになり、面倒で作業効率が悪い。
【０００５】  そこで、本開示の一態様は、被貼付面に対して薄膜を効率よく貼付できる薄膜貼付装置を提供する。また、このような薄膜貼付装置の使用に好適な薄膜形成方法を提供する。
【０００６】  本開示の一態様の薄膜貼付装置は、貼付対象の被貼付面への薄膜の貼付に用いる薄膜貼付装置であって、貼付対象に装着可能なフレームと、使用時に前記被貼付面と対向する側面に、前記薄膜を仮貼付可能な仮貼付部を備え、前記仮貼付部を前記被貼付面に押付可能に前記フレームに支持され、かつ、前記フレームに対して着脱可能である薄膜保持部材とを備えている。
【０００７】  本開示によれば、被貼付面に対して薄膜を効率よく貼付できる。
【図面の簡単な説明】
【０００８】
【図１】本開示の実施の形態１の薄膜貼付装置を使用して行う薄膜形成方法、および、薄膜の貼付方法を説明するための模式図
【図２】本開示の実施の形態１の薄膜貼付装置を斜め前側から見た状態で示す斜視図
【図３】本開示の実施の形態１の薄膜貼付装置を斜め後側から見た状態で示す斜視図
【図４】（ａ）本開示の実施の形態１の薄膜貼付装置を使用する際に、薄膜を一時的に保持しておくための保持具の斜視図、（ｂ）薄膜保持面に保持された薄膜から支持体を剥がす様子を示す斜視図
【図５】本開示の実施の形態１の薄膜貼付装置に使用する薄膜の形成を行うメイク支援システムの１例を示す模式図
【図６】実施の形態１の薄膜貼付装置を使用して行う薄膜形成方法のフローチャート
【図７】実施の形態１の薄膜貼付装置を使用して行う薄膜の貼付方法のフローチャート
【図８】（ａ）薄膜の１例を示す断面図、（ｂ）薄膜の別例を示す断面図
【図９】薄膜の裁断方法を説明するための断面模式図
【図１０】（ａ）薄膜が支持体から剥がれる際の状態を説明するための模式図、（ｂ）薄膜が軟性部材から剥がれる際の状態を説明するための模式図
【図１１】実施の形態１の薄膜貼付装置の変形例を示す斜視図
【図１２】本開示の実施の形態２の薄膜貼付装置を使用して行う薄膜形成方法を説明するための模式図
【図１３】（ａ）本開示の実施の形態２の薄膜貼付装置の変形例を斜め前方から見た斜視図、（ｂ）変形例を斜め後方から見た斜視図、（ｃ）薄膜貼付装置を装着したユーザを示す模式図
【図１４】実施の形態２の薄膜貼付装置を使用して行う薄膜形成方法のフローチャート
【図１５】本開示の実施の形態３の薄膜貼付装置を使用して行う薄膜形成方法を説明するための模式図
【図１６】実施の形態３の薄膜貼付装置を使用して行う薄膜形成方法のフローチャート
【図１７】本開示の実施の形態４の薄膜貼付装置を使用して行う薄膜形成方法を説明するための模式図
【図１８】実施の形態４の薄膜貼付装置を使用して行う薄膜形成方法のフローチャート
【発明を実施するための形態】
【０００９】  ［１．  実施の形態１］  図１〜４を参照して、本実施の形態の薄膜貼付装置６００の構造について説明する。
【００１０】  薄膜貼付装置６００は、例えば、図１に示すように、貼付対象（ユーザ４００）に装着した状態（以下、装着状態という）で、ユーザ４００の被貼付面（変色領域５１１）に、薄膜７０２を貼付するためのものである。なお、被貼付面は、変色領域５１１に限定されず、例えば、ユーザの顔に形成されたシワ等のシワ領域、傷等の傷領域等の各種領域が相当する。
【００１１】  ここで、以下の説明では、説明の便宜のため、各部の方向に関して、図１〜３に示される直交座標系（Ｘ、Ｙ、Ｚ）に基づいて説明する。具体的には、直交座標系（Ｘ、Ｙ、Ｚ）において、Ｘ軸方向は、ユーザ４００の左右方向および幅方向であり、Ｙ軸方向は、ユーザ４００の上下方向であり、Ｚ軸方向は、ユーザ４００の前後方向である。換言すれば、直交座標系（Ｘ、Ｙ、Ｚ）において、Ｘ軸方向は、図１に示す顔画像５００の左右方向および幅方向であり、Ｙ軸方向は、顔画像５００の上下方向であり、Ｚ軸方向は、顔画像５００の前後方向（換言すれば、奥行方向）である。なお、ユーザ４００および顔画像５００の上下方向は、必ずしも、垂直方向（換言すれば、重力が作用する方向）に一致するわけではない。
【００１２】  ［１．１  薄膜貼付装置の全体構成］  図１〜４に示すように、薄膜貼付装置６００は、略メガネ形状であって、フレーム６２０と、一対の薄膜保持部材６４０とを備えている。なお、図２、３には、一対の薄膜保持部材６４０を省略している。
【００１３】  フレーム６２０は、薄膜貼付装置６００をユーザ４００に対して、メガネを掛けるようにして装着する機能を有する。
【００１４】  一対の薄膜保持部材６４０は、フレーム６２０に対して回動可能に支持されており、後面に設けられた仮添着部に薄膜を一時的に貼付する機能を有する。また、一対の薄膜保持部材６４０の仮添着部は、装着状態で、薄膜を肌（通常はユーザ自身の肌）である被貼付面に押し付ける押付部として機能する。なお、一対の薄膜保持部材６４０は、フレーム６２０に、例えば、スライド等の変位を可能に支持されていてもよい。
【００１５】  ［１．２  薄膜貼付装置の全体構成］  次いで、フレーム６２０および一対の薄膜保持部材６４０のそれぞれの構成について、図１〜４を参照して説明する。
【００１６】  フレーム６２０は、例えば、シリコン（Ｓｉ）、合成樹脂、金属等により構成されており、フレーム本体６２１と、一対の係止部６２２と、一対の支持部６２３とを備えている。なお、フレーム本体６２１、一対の係止部６２２および一対の支持部６２３は、同じ材料により構成しても良いし、異なる材料により構成しても良い。
【００１７】  フレーム本体６２１は、幅方向中央から、幅方向外側に向かうほど後側に向かう状態で全体が湾曲しており、幅方向に離隔した一対のフレーム素子６２４と、連続部６２５とを備えている。換言すれば、フレーム本体６２１は、装着状態で、ユーザ４００の顔４０１に沿うように湾曲している。このような連続部６２５は、一対のフレーム素子６２４同士を幅方向に一体に連続している。
【００１８】  連続部６２５の前面は、幅方向に延在する状態で形成された線状の幅方向基準線６２６と、同じく上下方向に延在する状態で形成された線状の上下方向基準線６２７とを備えている。そして、幅方向基準線６２６と上下方向基準線６２７との交点を、基準点指示部である装置基点５０１としている。なお、装置基点５０１は、例えば、凹部、凸部、貫通孔、シール、塗料等により構成できる。また、装置基点５０１の位置は、前述の位置に限定されない。
【００１９】  一対のフレーム素子６２４は、幅方向に延在した中央フレーム６２８と、中央フレーム６２８の幅方向内端部から下方に延在した内側フレーム６２９と、同じく幅方向外端部から下方に延在した外側フレーム６３０とを備えている。
【００２０】  一対の係止部６２２は、薄膜貼付装置６００をユーザ４００に装着するための部分である。換言すれば、一対の係止部６２２は、メガネのテンプルに相当するものであり、後端寄り部分が、ユーザ４００の耳に係止される。具体的には、係止部６２２は、フレーム本体６２１の幅方向両端部から、後側に延在した状態で、フレーム素子６２４と一体に設けられている。このような係止部６２２の後端部は、後側に向かうほど下方に傾斜している。このため、装着状態での、係止部６２２とユーザ４００の耳４０２との係止状態の安定化を図れる。
【００２１】  一対の支持部６２３は、前後方向視で略五角形状の板状部材である。このような支持部６２３は、幅方向外端部が、フレーム素子６２４の外側フレーム６３０にヒンジ機構６３１を介して回動可能に支持されている。即ち、一対の支持部６２３は、図１（ｅ）、２、３に示す閉鎖状態と、図１（ａ）に示す解放状態との間を回動可能である。また、薄膜貼付装置６００の閉鎖状態において、一対の支持部６２３の幅方向内端部が、フレーム素子６２４の内側フレーム６２９と係合している。このような係合は、支持部６２３が、容易に回動しない程度の係合力であるのが好ましい。
【００２２】  また、支持部６２３は、後面に、前後方向視で略五角形状の保持凹部６３２が形成されている。このような保持凹部６３２は、薄膜保持部材６４０を、所定の関係に規制した状態（つまり、一義的に定まった状態）で保持する機能を有する。保持凹部６３２は、前後方向視で、回転対称性を有していない形状（つまり、３６０度回転した場合に初めて、自らと重なる形状）とするのが好ましい。なお、保持凹部６３２の形状、数は、本実施の形態の場合に限定されない。例えば、図１１に示すように、保持凹部６３２に対して、所定角度だけ回転し、かつ、深さが異なる保持凹部６３２ａを１個以上設けることもできる。ユーザ４００は、自身の顔４０１の形状や、変色領域５１１の位置等に合わせて、使用する保持凹部を選択すればよい。なお、図１１に示す構造は、保持凹部の変形例を説明するためのものであり、その他の構造は、後述する図１３に記載した薄膜貼付装置６００ｂと同様であるため、詳細な説明は省略する。
【００２３】  また、保持凹部６３２の後面には、マグネット等により構成されるフレーム側固定部６３３が設けられている。
【００２４】  なお、図２、３に示す構造と、図１（ｃ）に示す構造とでは、フレーム６２０の裏面の構造が異なる。具体的には、図１（ｃ）に示す構造の場合、フレーム６２０の裏面で、一対の支持部６２３の上側に位置する部分および連続部６２５の裏面に、スポンジ等の１対の弾性体６６２、６６２ａが設けられている。このため、本実施の形態の薄膜貼付装置６００は、ユーザ４００の顔４０１の形状の個体差に対して、装着状態を弾性体６６２、６６２ａの弾性変形の範囲で調整可能である。
【００２５】  薄膜保持部材６４０は、図４に示すように、支持台６４１と、軟性部材６４２とを備えている。
【００２６】  支持台６４１は、合成樹脂製、シリコン（Ｓｉ）、金属等により構成され、幅方向外側に向かうほど後方に向かう方向に湾曲した板状部材である。また、支持台６４１は、前後方向視で、保持凹部６３２と同形状または略同形状の略五角形状を有している。また、支持台６４１は、前面にマグネット等により構成される支持台側固定部６４３を備えている。このような支持台６４１の支持台側固定部６４３は、保持凹部６３２のフレーム側固定部６３３に着脱可能に固定できる。
【００２７】  この状態で、支持台６４１は、保持凹部６３２の内側に実質的ながたつきを抑えられた状態で配置されている。本実施の形態の場合、保持凹部６３２と支持台６４１とが、前後方向視で同形状であり、かつ、それぞれが回転対称性を有していないため、保持凹部６３２の内側に支持台６４１が配置された状態で、支持台６４１と保持凹部６３２とが所定の関係に規制される。
【００２８】  なお、支持台側固定部６４３は、支持台６４１の後面、あるいは、支持台６４１に埋入した状態で設けてもよい。また、本実施の形態の場合、支持台６４１および保持凹部６３２の形状を工夫して、支持台６４１と保持凹部６３２との位置関係を所定の関係に規制する構造を実現している。ただし、例えば、前記フレーム側固定部６３３および支持台側固定部６４３の構造を工夫して、支持台６４１と保持凹部６３２との位置関係を所定の関係に規制する構造を実現してもよい。
【００２９】  軟性部材６４２は、軟性および吸水性を有する、例えば、スポンジ、ゴムシート等の板状部材である。このようなスポンジの材料の１例として、エチレン・α−オレフィンコポリマー、ポリウレタンまたはメラミン樹脂等が挙げられる。また、軟性部材６４２は、前後方向視で、保持凹部６３２および支持台６４１と同形状の略五角形状を有している。このような軟性部材６４２の前面は、支持台６４１の後面に、接着剤等を介して固定されている。また、軟性部材６４２の後面を、薄膜を仮貼付可能な仮貼付部６４４としている。このような仮貼付部６４４は、幅方向外側に向かうほど後方に向かう曲面状に構成されている。
【００３０】  以上のような構成を有する薄膜貼付装置６００は、図１（ａ）および（ｅ）に示すように、一対の係止部６２２をユーザ４００の耳４０２に係止すると共に、フレーム本体６２１の連続部６２５の後面をユーザ４００の鼻４０３の上端部に係合した状態で、ユーザ４００に装着される。なお、本実施の形態の場合、装着状態で、ユーザ４００の目４０４は、薄膜貼付装置６００により覆われていない。換言すれば、装着状態で、ユーザ４００の目４０４は、薄膜貼付装置６００と前後方向に関して重畳していない。
【００３１】  ［１．３  薄膜構造体］  次に、実施の形態１の薄膜貼付装置６００で使用する薄膜構造体について説明する。
【００３２】  薄膜構造体７００は、支持体７０１と、表面の一部に画像部７０３が形成された薄膜７０２とを備えている。
【００３３】  支持体７０１は、所定形状のシート状部材であって、例えば、吸水性および親水性を有する紙や不織布、多孔質フィルム、ナノファイバーシート等により構成されている。さらに、支持体７０１とは異なる第二支持体（図示略）を備えてもよい。例えば、第二支持体は、プラスチック等で構成され、支持体７０１の薄膜７０２が設置する面とは反対の面に密着して設けられる。第二支持体において支持体７０１と密着する側の面積は、支持体７０１の面の面積と同じでもよいが、それよりも大きい面積であることが好ましい。また、第二支持体には、補助マーク画像が形成されてもよい。このように第二支持体を設けることにより、薄膜構造体７００に強度を持たせることができ、ユーザが薄膜構造体７００を扱いやすくなる。このような支持体７０１は、平面視で、薄膜貼付装置６００を構成するフレーム６２０の保持凹部６３２、および、薄膜保持部材６４０の支持台６４１と同形状の略五角形状を有している。
【００３４】  薄膜７０２は、透水性および生体適合性を有するシート状部材である。このような薄膜７０２の材料は、特に限定されず、任意の薄膜を用いることができる。薄膜の材料としては、例えば、ポリグリコール酸、ポリ乳酸、ポリカプロラクトン、ポリエチレンサクシネート、ポリエチレンテレフタレートまたはこれらの共重合体に代表されるポリエステル類、ポリエチレングリコール、ポリプロピレングリコールに代表されるポリエーテル類、ナイロン、ポリグルタミン酸、ポリアスパラギン酸またはこれらの塩に代表されるポリアミド類、プルラン、セルロース、デンプン、キチン、キトサン、アルギン酸、ヒアルロン酸、コーンスターチに代表される多糖類またはこれらの塩、アクリルシリコーン、トリメチルシロキシケイ酸に代表されるシリコーン類、アクリル酸アルキル、アクリル酸シリコーン、アクリル酸アミドやこれらの共重合体に代表されるアクリル酸類、またはポリビニルアルコール、ポリウレタン、ポリカーボネート、ポリ酸無水物、ポリエチレン、ポリプロピレンが挙げられる。薄膜７０２の厚さは、１０−１００００ｎｍ（１０ｎｍ−１０μｍ）を用いることができ、特に１０−１０００ｎｍが好ましい。薄膜が疎水性の性質を有する場合は特に１０−８００ｎｍが好ましい。このような薄膜７０２は、平面視で、薄膜保持部材６４０の支持台６４１および軟性部材６４２と実質的に同形状の略五角形状を有している。また、薄膜７０２の外周縁は、図８（ａ）に示すように、支持体７０１の外周縁と同じか、または、図８（ｂ）に示すように、僅かに（例えば、３０μｍだけ）小さい。このような薄膜７０２は、支持体７０１の片側面（図１（ｃ）の表側面）に剥離可能に添着されている。なお、前述のような薄膜７０２の外周縁と、支持体７０１の外周縁との相違は、実質的に同形状の範囲内とする。また、薄膜本体７０２は、変色領域５１１または変色領域５１１の周辺の形状に追従できるように、外周部や面内に任意の切れ込みを有する場合もある。
【００３５】  画像部７０３は、例えば、化粧料等の色素材料により構成されており、薄膜７０２の片側面（図１（ｃ）の表側面）に、例えば、印刷等により形成されている。なお、画像部７０３は、色素材料だけでなく、例えば、変色領域５１１の改善を促す薬剤等の有効成分（美白成分、ビタミンまたは保湿成分）、ＵＶ吸収剤、ＵＶ反射剤等の薬剤等を印刷する事も可能である。撮影した顔画像から、シワ等のシワ領域を検出した場合には、保湿成分を画像部７０３に印刷して、画像部７０３をシワ領域に貼付することもできる。このような画像部７０３は、薄膜７０２を、薄膜貼付装置６００の仮貼付部６４４に一時的に仮貼付し、かつ、ユーザ４００が、薄膜貼付装置６００を装着した状態（以下、単に「使用状態」という）で、前後方向に関して変色領域５１１と重畳する部分に設けられている。なお、画像部７０３は、変色領域５１１と必ずしも同じ大きさ、形状でなくてもよい。例えば、画像部７０３は、変色領域５１１よりも所定の大きさだけ大きくてもよい。
【００３６】  このような薄膜構造体７００を構成する薄膜７０２は、例えば、薄膜７０２の片側面を変色領域５１１に押し付けることにより、画像部７０３を変色領域５１１に貼付する。
【００３７】  ［１．４  システム構成］  次に、図５を参照して、前述のような薄膜の形成に使用するメイク支援システムの概要について説明する。
【００３８】  図５において、メイク支援システム１００は、照明部２０１、カメラ２０２、およびタッチパネル付き液晶ディスプレイ等の表示部２０３を備えた画像処理装置２００と、画像処理装置２００と通信可能に接続された印刷装置３００とを備えている。画像処理装置２００および印刷装置３００は、例えば、工場、化粧品販売店舗、美容室、医療機関、身だしなみを整えるメイクルーム、イベント会場、および個人宅等に配置される。なお、画像処理装置２００は、容易に持ち運ぶことも可能なポータブル型の装置であってもよい。
【００３９】  ［１．４．１  画像処理装置］  画像処理装置２００が備える画像取得部（図示省略）は、表示部２０３の正面に位置するユーザ４００の顔４０１を、照明部２０１により照明した状態で、表示部２０３の近傍に配置されたカメラ２０２により撮影する。そして、画像処理装置２００は、撮影された画像を左右方向において反転された顔画像５００（図１参照）を、表示部２０３に表示させる。すなわち、画像処理装置２００は、鏡を覗き込んでいるような感覚をユーザ４００に与えるように構成されている。なお、図５には、顔画像５００の一部のみを示している。また、顔画像５００は、ユーザ４００が薄膜貼付装置を装着した状態での装着対象画像と、同じく装着していない状態での非装着対象画像とがある。
【００４０】  なお、ユーザ４００が、顔画像を、予めデータあるいは印刷物として所持している場合には、カメラ２０２による撮影を省略することもできる。この場合には、ユーザ４００が所持する顔画像をデータとして読み込むための入力装置（図示省略）を設けるのが好ましい。
【００４１】  画像処理装置２００が備える装着判定部（図示省略）は、顔画像５００を解析して、顔画像５００に映ったユーザ４００が、前述した薄膜貼付装置６００（図１（ａ）および（ｄ）参照）を装着しているか否かを判定する。換言すれば、画像処理装置２００が備える装着判定部は、顔画像５００が、ユーザ４００が薄膜貼付装置を装着した状態での装着対象画像であるか、ユーザ４００が薄膜貼付装置を装着していない状態での非装着対象画像であるかを判定する。
【００４２】  装着判定部が、ユーザ４００が薄膜貼付装置６００を装着していると判定した場合に、画像処理装置２００が備える装置情報取得部（図示省略）は、顔画像５００から、薄膜貼付装置６００に設けられた装置基点５０１を取得する。なお、顔画像５００から装置基点５０１を取得する方法は、例えば、特開２０１４−１８３９１７号公報等に記載されている顔画像から顔の特徴点を取得する方法とほぼ同様であるため、詳細な説明は省略する。
【００４３】  画像処理装置２００の装置情報取得部は、図１（ｂ）に示すような、装置基点５０１を原点とした装置座標系（例えば、ユーザ４００の左右方向をＸ１軸、上下方向をＹ１軸とした座標系）を設定する。なお、装置座標系は、二次元だけでなく、三次元でもよい。三次元の場合には、例えば、角度を変えて撮影した複数枚の画像に基づいて三次元座標系を設定する。
【００４４】  画像処理装置２００が備える対象情報取得部（図示省略）は、顔画像５００から被貼付面である変色領域５１１を取得し、装置座標系に関する変色領域５１１の座標である対象座標を取得する。なお、画像処理装置２００は、変色領域５１１を構成する全ての点の座標、または、一部の座標を求めることができる。また、変色領域５１１が、離隔した複数箇所に存在する場合には、それぞれの変色領域５１１の座標を取得する。また、画像処理装置２００の対象情報取得部は、変色領域５１１の周辺領域５１２の色に関する情報を取得する。
【００４５】  画像処理装置２００が備える印刷情報取得部（図示省略）は、前述のように設定した対象座標に基づいて、裁断前構造体７０４（図１（ｃ）参照）のうち、画像部７０３を印刷する部分の座標を画像部位置情報として取得する。なお、裁断前構造体７０４とは、薄膜構造体７００の素材であって、使用状態の形状に裁断される前、かつ、画像部７０３が印刷される前のシート状部材をいう。
【００４６】  具体的には、裁断前構造体７０４は、シート状の裁断前支持体７０５と、裁断前支持体７０５の片側面（図１（ｃ）の表側面）に剥離可能な状態で添着されたシート状の裁断前薄膜７０６とを備えている。
【００４７】  前述の画像部位置情報を取得する方法は、具体的には、裁断前構造体７０４を、装置座標系に配置したと仮定した状態で、裁断前構造体７０４のうち、変色領域５１１の座標に相当する部分の座標を画像部位置情報として取得する。この際、装置基点５０１に相当する部分（つまり、装置座標系の原点）を、印刷基点７０７の位置情報（以下、印刷基点位置情報という）として取得する。
【００４８】  画像処理装置２００が備える印刷情報取得部は、裁断前構造体７０４を装置座標系に配置したと仮定した状態で、使用状態での薄膜構造体７００の外周縁（輪郭）を構成する部分の座標を裁断位置情報として取得する。
【００４９】  画像処理装置２００が備える画像データ生成部（図示省略）は、印刷基点位置情報と画像部位置情報とにより印刷画像データを生成し、印刷装置３００に出力する。この場合には、画像データ生成部は、裁断位置情報も印刷装置３００に出力する。なお、印刷基点位置情報の代わりに裁断位置情報と画像部位置情報とにより印刷画像データを生成し、印刷装置３００へ出力することもできる。
【００５０】  ［１．４．２  印刷装置］  印刷装置３００は、画像処理装置２００が備える印刷情報取得部から出力された印刷画像データに基づいて、裁断前構造体７０４を構成する薄膜７０２に画像を印刷する。具体的には、印刷装置３００は、印刷画像データが、印刷基点位置情報と画像部位置情報とを含んでいる場合には、図１（ｃ）に示す印刷基点７０７と重畳画像である画像部７０３とを裁断前構造体７０４に印刷する。
【００５１】  一方、印刷装置３００は、印刷画像データが、裁断位置情報と画像部位置情報とを含んでいる場合には、図１（ｃ）の、画像部７０３と、二点鎖線で示す薄膜構造体７００の外周縁に相当する部分とを裁断前構造体７０４に印刷する。なお、印刷装置３００が印刷に用いるインク等の材料および各部の具体的構成については、例えば特許文献３〜５に記載されているため、ここでの詳細な説明を省略する。
【００５２】  また、印刷装置３００は、裁断前構造体７０４に印刷基点７０７および画像部７０３のみが印刷されている場合には、画像処理装置２００から受け取った裁断位置情報に基づいて、薄膜構造体７００の外周縁に相当する部分（具体的には、図１（ｃ）の二点鎖線で示す部分）を求め、当該部分に沿って、裁断前構造体７０４を裁断する。
【００５３】  一方、印刷装置３００は、裁断前構造体７０４に、画像部７０３および薄膜構造体７００の外周縁に相当する部分が印刷されている場合には、当該部分に沿って、裁断前構造体７０４を裁断する。
【００５４】  以下、印刷装置３００により、裁断前構造体７０４を裁断する方法について簡単に説明する。印刷装置３００は、裁断前構造体７０４のうちの薄膜構造体７００の外周縁に相当する部分に対して、図９（ｂ）に示すように、レーザ７０８を照射しつつ、薄膜構造体７００の外周縁に沿って裁断する。この際、支持体７０１を構成する素材よりも、薄膜７０２を構成する素材の方が熱に弱いため、レーザ７０８の熱により、薄膜７０２の裁断面が、支持体７０１の裁断面よりも、レーザ７０８から離れる方向に溶けて縮む。この結果、薄膜７０２の外周縁は、支持体７０１の外周縁よりも僅かに薄膜７０２の中央側に位置する。なお、レーザ７０８ではなく、例えば、図９（ｃ）に示すように、熱したカッタ７０９により裁断前構造体７０４を裁断する構成を採用した場合にも、同様の特徴を有する薄膜構造体７００を得られる。この裁断方法により、薄膜構造体７００から支持体７０１をはがす際に、支持体７０１の方だけに指を掛けられるため、薄膜構造体７００から支持体７０１を剥がし易くできる。
【００５５】  なお、図９では裁断前支持体７０５も裁断されているが、レーザー出力を調整することで、裁断前支持体７０５は裁断されず、裁断前薄膜７０６のみを裁断することもできる。このように裁断して得られる薄膜構造体は、裁断前支持体７０５の片側面に、複数個の薄膜７０２が添着した構造を有する。このような構造の場合には、薄膜保持部材６４０の仮貼付部６４４の外周縁に、薄膜７０２の切れ目が重畳するように、仮貼付部６４４を薄膜７０２に押し付けることにより、必要な形状の薄膜のみを切れ目に沿って、裁断前支持体７０５から剥離（持ち上げる）することができる。
【００５６】  ［１．５  薄膜形成方法］  以下、図１、６を参照して、実施の形態１の薄膜貼付装置６００を使用して行う薄膜形成方法の１例について説明する。なお、本例の薄膜形成方法は、前述した画像処理装置２００を使用して行う。
【００５７】  ［１．５．１  第１ステップ］  先ず、ステップＳ１において、ユーザ４００は、図１（ａ）に示すように、薄膜貼付装置６００を解放状態で装着し、画像処理装置２００のカメラ２０２（図５参照）により、顔４０１を撮影して装着対象画像である顔画像５００を得る。本例の薄膜形成方法の場合、薄膜貼付装置６００を解放状態としているため、顔画像５００に変色領域５１１が映っている。なお、ユーザ４００が、顔画像５００を、予めデータあるいは印刷物として所持している場合には、画像処理装置２００が備える入力装置から顔画像５００を入力する。また、顔画像５００は、必要に応じて表示部２０３に表示する。なお、図１（ａ）に示すように、ユーザ４００が、薄膜貼付装置６００を解放状態で装着し、かつ、薄膜貼付装置６００の一対の支持部６２３が、被貼付面である変色領域５１１を覆わない（つまり、前後方向に重畳しない）状態が、一対の支持部６２３の第２の位置に相当する。
【００５８】  ［１．５．２  第２ステップ］  次に、ステップＳ２において、画像処理装置２００が備える装置情報取得部により、顔画像５００を解析して、顔画像５００に映ったユーザ４００が装着する薄膜貼付装置６００に設けられた装置基点５０１を取得する。そして、図１（ｂ）に示すような、装置基点５０１を原点とした装置座標系を設定する。
【００５９】  ［１．５．３  第３ステップ］  次に、ステップＳ３において、画像処理装置２００が備える対象情報取得部により、顔画像５００から変色領域５１１を取得すると共に、装置座標系に関する変色領域５１１の座標である対象座標を取得する。
【００６０】  ［１．５．４  第４ステップ］  次に、ステップＳ４において、画像処理装置２００が備える印刷情報取得部により、対象座標に基づいて、裁断前構造体７０４（図１（ｃ）参照）のうち、画像部７０３に相当する部分の座標である画像部位置情報を取得する。具体的には、図１（ｃ）に示すように、裁断前構造体７０４（裁断前支持体７０５または裁断前薄膜７０６）を、装置座標系に配置したと仮定した状態で、裁断前構造体７０４のうち、変色領域５１１の座標に相当する座標を画像部位置情報として取得する。
【００６１】  ［１．５．５  第５ステップ］  次に、ステップＳ５において、画像処理装置２００が備える印刷情報取得部により、装置座標系における、装置基点５０１（つまり原点）に相当する部分を印刷基点位置情報として取得する。そして、画像部位置情報と印刷基点位置情報とを含む印刷画像データを生成する。
【００６２】  ［１．５．６  第６ステップ］  次に、ステップＳ６において、画像処理装置２００が備える印刷情報取得部により、裁断前構造体７０４を装置座標系に配置したと仮定した状態で、使用状態での薄膜構造体７００の外周縁に相当する部分の座標を求め、当該座標を裁断位置情報として取得する。
【００６３】  ［１．５．７  第７ステップ］  次に、ステップＳ７において、印刷装置３００で、印刷用画像データに基づいて、裁断前構造体７００を構成する裁断前薄膜７０６に、画像部７０３および印刷基点７０７を印刷する。
【００６４】  ［１．５．８  第８ステップ］  最後に、ステップＳ８において、印刷装置３００により、裁断前構造体７０４を所定の形状（本例の場合、略五角形状）に裁断する。本例の薄膜形成方法の場合、裁断前構造体７０４に、印刷基点７０７および画像部７０３のみが印刷されている。このため、印刷装置３００は、画像処理装置２００から受け取った裁断位置情報に基づいて、裁断前構造体７０４のうち、薄膜構造体７００の外周縁に相当する部分（図１（ｃ）の二点鎖線で示す部分）を求め、当該部分に沿って裁断する。印刷装置３００による裁断前構造体７０４の裁断方法は前述した通りである。なお、ステップＳ７で印刷する前に、薄膜構造体７００の外周縁の形状にカットしたシート状部材を用意しておくこともできる。この場合には、ステップＳ８は省略できる。
【００６５】  ［１．６  薄膜の貼付方法］  以下、図１、７を参照して、実施の形態１の薄膜貼付装置６００を使用して行う薄膜の貼付方法の１例について説明する。なお、以下の説明では、ユーザ４００の片方の頬（図１（ａ）の左の頬）にのみ、変色領域５１１がある場合について説明する。なお、変色領域５１１が両方の頬にある場合でも、基本的な薄膜の貼付方法の手順は変わらない。
【００６６】  先ず、ステップＳ１１において、ユーザ４００は、片方の薄膜保持部材６４０を、薄膜貼付装置６００から取り外す。
【００６７】  次に、ステップＳ１２において、薄膜構造体７００を、図４（ａ）に示すような保持具６６０の凹部６６１に、薄膜７０２が上になる状態で配置する。凹部６６１の平面視での形状（つまり、図４の上から見た形状）は、薄膜構造体７００の平面視での形状と、実質的に同じである。なお、実質的に同じとは、凹部６６１の内側に薄膜構造体７００をがたつかないで配置可能な程度の差を含む。保持具６６０の凹部６６１の平面視での形状も、回転対称性を有していない。
【００６８】  次に、ステップＳ１３において、片方の薄膜保持部材６４０の軟性部材６４２に霧吹き等で水を含ませる。
【００６９】  次に、ステップＳ１４において、軟性部材６４２の仮貼付部６４４を、保持具６６０の凹部６６１に配置された薄膜７０２の表面に押し付ける。すると、軟性部材６４２の仮貼付部６４４に、薄膜構造体７００が薄膜７０２を介して仮貼付される。なお、この状態で、薄膜７０２には、支持体７０１が添着されている。
【００７０】  なお、本例の薄膜の貼付方法の場合、軟性部材６４２の前後方向視の形状が、保持具６６０の凹部６６１の平面視での形状と実質的に同じである。従って、軟性部材６４２に薄膜構造体７００が仮貼付された状態で、軟性部材６４２と薄膜構造体７００との位置関係は、所定の関係に規制される。なお、軟性部材６４２と薄膜構造体７００との位置関係を所定の関係に規制できるのであれば、手で、軟性部材６４２の仮貼付部６４４に、薄膜構造体７００の薄膜７０２を仮貼付してもよい。
【００７１】  次に、ステップＳ１５において、図１（ｄ）に示すように、薄膜貼付装置６００の閉鎖状態で、片方の薄膜保持部材６４０を、片方の支持部６２３の保持凹部６３２の内側に挿入し、片方の薄膜保持部材６４０の支持台側固定部６４３を、片方の支持部６２３のフレーム側固定部６３３に着脱可能に固定する。この状態で、片方の薄膜保持部材６４０とフレーム６２０（片方の支持部６２３）との位置関係が、所定の関係に規制される。従って、薄膜構造体７００と薄膜貼付装置６００との位置関係も、所定の関係に規制される。なお、上述の作業を、薄膜貼付装置６００の解放状態で行い、片方の薄膜保持部材６４０をフレーム６２０に固定してから、薄膜貼付装置６００を閉鎖状態にしてもよい。
【００７２】  次に、ステップＳ１６において、図４（ｂ）に示すように、ユーザ４００は、薄膜構造体７００から支持体７０１を剥がす。この際、支持体７０１に、図１０（ａ）に示すように、支持体７０１と薄膜７０２との間に水の層６６３が形成されて、薄膜構造体７００（薄膜７０２）から、支持体７０１を剥がし易くなる。
【００７３】  次に、ステップＳ１７において、ユーザ４００は、図１（ｅ）に示すように、薄膜貼付装置６００を閉鎖状態で装着する。この状態で、薄膜貼付装置６００の仮貼付部６４４に仮貼付された薄膜７０２の画像部７０３が、変色領域５１１と前後方向に重畳する。換言すれば、前述のような薄膜形成方法により作られた薄膜７０２の場合、図１（ｅ）に示す状態で、仮貼付部６４４に仮貼付された薄膜７０２の画像部７０３の、装置座標系での座標が、変色領域５１１の装置座標系での座標と等しくなる。従って、図１（ｅ）に示す状態で、薄膜７０２は、変色領域５１１に押し付けられる。なお、必要に応じて、片方（図１（ｅ）の左側）の支持部６２３の前面を、変色領域５１１に向けて押圧してもよい。なお、図１（ｅ）に示すように、ユーザ４００が、薄膜貼付装置６００を閉鎖状態で装着し、かつ、薄膜貼付装置６００の一対の支持部６２３が、被貼付面である変色領域５１１を覆う（つまり、前後方向に重畳した）状態が、一対の支持部６２３の第１の位置に相当する。
【００７４】  最後に、ステップＳ１８において、ユーザ４００は、薄膜貼付装置６００を取り外すと、図１（ｆ）に示すように、薄膜７０２が、薄膜貼付装置６００の仮貼付部６４４から剥がれて、薄膜７０２の画像部７０３が変色領域５１１に貼付される。なお、本例の薄膜の貼付方法の場合、薄膜７０２のうち、画像部７０３以外の部分は、変色領域５１１の周囲に貼付されているが、例えば、無色透明であるため目立たない。薄膜貼付装置６００を取り外す際、図１０（ｂ）に示すように、薄膜７０２と仮貼付部６４４との間に水の層６６３が形成されるため、薄膜７０２が、仮貼付部６４４から剥がれ易くなる。
【００７５】  ［１．７  作用・効果］  以上のような構成を有する本実施の形態の薄膜貼付装置６００によれば、変色領域５１１に対して薄膜７０２を効率よく貼付できる。即ち、薄膜貼付装置６００の仮貼付部６４４に、前述した薄膜形成方法により形成した薄膜７０２を仮貼付した状態で、ユーザ４００が薄膜貼付装置６００を装着すると、薄膜７０２の画像部７０３が、変色領域５１１と前後方向に重畳する。このため、薄膜７０２の画像部７０３を、貼付目標である変色領域５１１に対して正確に貼付することができる。この結果、薄膜７０２を剥がして貼り直す作業を減らすことができて、薄膜７０２の貼付作業効率を向上できる。
【００７６】  また、本実施の形態の薄膜貼付装置６００の場合、薄膜７０２を変色領域５１１に押し付ける作業を、手を使わないで行うことができる。このため、貼付作業の際、薄膜７０２に変形および損傷が生じる可能性を低くできる。また、本実施の形態の薄膜貼付装置６００によれば、薄膜貼付装置６００を使用して行う薄膜形成方法の際のユーザ４００の撮影が１回で済むため、薄膜７０２を形成する作業の効率を向上できる。
【００７７】  ［１．８  付記］  前述の実施の形態１の薄膜貼付装置６００は、仮貼付部６４４を、軟性部材６４２の後面により構成しているが、軟性部材の代わりに、少なくとも使用状態で変色領域５１１と対向する面に親水性を有する親水性部材を採用することもできる。この場合には、親水性部材の後面を仮貼付部とする。
【００７８】  ［２．  実施の形態２］  図１２を参照して、実施の形態２の薄膜貼付装置６００ａについて説明する。
【００７９】  本実施の形態の薄膜貼付装置６００ａの構造は、前述した実施の形態１の薄膜貼付装置６００と、１対の支持部６２３ａの構造が異なる。その他の構造は、実施の形態１の薄膜貼付装置６００と同様であるため、以下、相違点を中心に説明する。
【００８０】  薄膜貼付装置６００ａは、１対の支持部６２３ａが、フレーム本体６２１と一体に形成されている。このため、一対の支持部６２３ａは、フレーム本体６２１に対して回動しない。従って、図１２（ｂ）に示すように、ユーザ４００が薄膜貼付装置６００ａを装着した状態で、変色領域５１１を、前側から視認することができない。その他の構造は、前述した実施の形態１の薄膜貼付装置６００と同様である。
【００８１】  ［２．１  システム構成］  次に、図５、１２を参照して、後述する薄膜形成方法で使用するメイク支援システムの概要について説明する。なお、メイク支援システムが備える画像処理装置の構成のうち、既に説明した内容と重複する構成の説明については、可能な範囲で省略する。
【００８２】  本例の場合、画像処理装置２００が備える対象情報取得部（図示省略）は、装着判定部が、顔画像（例えば、図５、１２の顔画像５００ａ、５００ｂ）を解析して、顔画像に映ったユーザ４００が、薄膜貼付装置６００ａを装着していないと判定した場合に、被装着対象画像である顔画像５００ａから特徴点である対象基点４０６を取得する。そして、対象情報取得部は、図１２（ｃ）に破線で示すような、対象基点４０６を原点とした対象座標系（例えば、ユーザ４００の顔４０１の左右方向をＸ２軸、上下方向をＹ２軸とした座標系）を設定する。なお、特徴点は、例えば、鼻筋に沿う線α１と、両目の目頭同士を結んだ線α２との交点、眉間、目または口等である。なお、顔画像から特徴点を取得する方法は、例えば、特開２０１４−１８３９１７号公報等に記載されているため、詳細な説明は省略する。
【００８３】  また、本例の画像処理装置２００が備える対象情報取得部は、顔画像５００ａから変色領域５１１を取得し、対象座標系に関する変色領域５１１の座標である対象座標を取得する。
【００８４】  また、画像処理装置２００が備える基点判定部（図示省略）は、図１２（ｂ）に示す、顔画像５００ｂにおいて、基準点指示部である装置基点５０１と対象基点４０６とが前後方向に関して重畳しているか否かを判定する。
【００８５】  また、画像処理装置２００が備える位置情報補正部（図示省略）は、基点判定部の判定の結果、装置基点５０１と対象基点４０６とが、前後方向に関して重畳していないと判断した場合には、対象座標系に関する変色領域５１１の座標である対象座標を、装置座標系に関する変色領域５１１の座標に座標変換して修正対象座標として取得する。
【００８６】  一方、画像処理装置２００が備える位置情報補正部は、基点判定部の判定の結果、装置基点５０１と対象基点４０６とが、前後方向に関して重畳していると判断した場合には、対象座標系に関する変色領域５１１の座標である対象座標をそのまま維持する。
【００８７】  ［２．２  薄膜形成方法］  以下、図１２、１４を参照して、実施の形態２の薄膜貼付装置６００ａを使用して行う薄膜形成方法の１例について説明する。なお、薄膜の貼付方法については、図１を参照して説明した薄膜貼付方法と同様であるため説明は省略する。また、以下に説明する薄膜形成方法は、前述した画像処理装置２００を使用して行う。
【００８８】  本例の薄膜形成方法は、１対の支持部６２３ａが、フレーム本体６２１に対して回動できず、装着状態で、変色領域５１１を前側から視認することができない薄膜貼付装置６００ａを使用する場合に好適な方法である。
【００８９】  ［２．３．１  第１ステップ］  具体的には、先ず、ステップＳ２１において、ユーザ４００は、図１２（ａ）に示すように、薄膜貼付装置６００ａを装着していない状態で、画像処理装置２００（図５参照）のカメラ２０２により、顔４０１を撮影して顔画像５００ａを得る。この状態で、顔画像５００ａには、変色領域５１１が映っている。なお、本例の薄膜形成方法の場合も、ユーザ４００が、顔画像５００ａを、予めデータあるいは印刷物として所持している場合には、画像処理装置２００が備える入力装置から顔画像５００ａを入力する。また、顔画像５００は、必要に応じて表示部２０３に表示する。
【００９０】  ［２．３．２  第２ステップ］  次に、ステップＳ２２において、画像処理装置２００が備える対象情報取得部により、顔画像５００ａから特徴点である対象基点４０６を取得する。そして、図１２（ｃ）に破線で示すような、対象基点４０６を原点とした対象座標系（例えば、ユーザ４００の顔４０１の左右方向をＸ２軸、上下方向をＹ２軸とした座標系）を設定する。
【００９１】  ［２．３．３  第３ステップ］  次に、ステップＳ２３において、画像処理装置２００が備える対象情報取得部により、顔画像５００ａから変色領域５１１を取得すると共に、対象座標系に関する変色領域５１１の座標を対象座標として取得する。
【００９２】  ［２．３．４  第４ステップ］  次に、ステップＳ２４において、ユーザ４００は、図１２（ｂ）に示すように、薄膜貼付装置６００ａを装着し、画像処理装置２００のカメラ２０２により、顔４０１を撮影して顔画像（装着対象画像）５００ｂを得る。なお、ユーザ４００が、顔画像５００ｂを、予めデータあるいは印刷物として所持している場合には、画像処理装置２００が備える入力装置から顔画像５００ｂを入力する。また、顔画像５００ｂは、必要に応じて表示部２０３に表示する。
【００９３】  ［２．３．５  第５ステップ］  次に、ステップＳ２５において、画像処理装置２００が備える装置情報取得部により、顔画像５００ｂを解析して、薄膜貼付装置６００ａに設けられた装置基点５０１を取得する。
【００９４】  ［２．３．６  第６ステップ］  次に、ステップＳ２６において、画像処理装置２００が備える基点判定部により、図１２（ｂ）に示す、顔画像５００ｂにおいて、装置基点５０１と対象基点４０６とが、前後方向に関して重畳しているか否かを判定する。この際、予め、顔画像５００ａと顔画像５００ｂとの対応関係を調整しておく。具体的には、例えば、顔画像５００ａに設定した対象座標系を、顔画像５００ｂに設定する。そして、顔画像５００ｂにおける、対象基点４０６の位置情報を取得しておく。なお、顔画像５００ｂは、装置基点５０１と対象基点４０６とが、前後方向に関して重畳していない。
【００９５】  ［２．３．７  第７ステップ］  次に、画像処理装置２００が備える基点判定部が、顔画像５００ｂにおいて、装置基点５０１と対象基点４０６とが前後方向に関して重畳していないと判定した場合には、ステップＳ２７において、図１２（ｃ）に実線で示すような、装置基点５０１を原点とした装置座標系（例えば、ユーザ４００の顔４０１の左右方向をＸ１軸、上下方向をＹ１軸とした座標系）を設定する。
【００９６】  ［２．３．８  第８ステップ］  次に、ステップＳ２８において、対象座標系に関する変色領域５１１の座標である対象座標を、装置座標系に関する変色領域５１１の座標に座標変換して、座標変換後の座標を修正対象座標として取得する。具体的には、例えば、図１２（ｃ）に示すように、対象座標系（Ｘ２、Ｙ２）に関する変色領域５１１の座標である（Ｘ２ａ、Ｙ２ａ）を、装置座標系（Ｘ１、Ｙ１）に関する座標である（Ｘ１ａ、Ｙ１ａ）へと座標変換する。なお、このような座標変換を、変色領域５１１を構成する全ての点に関して行う。
【００９７】  ［２．３．９  第９ステップ］  次に、ステップＳ２９において、画像処理装置２００が備える印刷情報取得部により、修正対象座標に基づいて、裁断前構造体７０４（図１（ｃ）参照）のうち、画像部７０３に相当する部分の座標である画像部位置情報を取得する。具体的には、裁断前構造体７０４を、装置座標系に配置したと仮定した状態で、裁断前構造体７０４のうち、修正対象座標に相当する座標を画像部位置情報とする。
【００９８】  なお、画像処理装置２００が備える基点判定部が、顔画像５００ｂにおいて、装置基点５０１と対象基点４０６とが前後方向に関して重畳していると判定した場合には、ステップＳ３０において、画像処理装置２００が備える印刷情報取得部により、ステップＳ２３で取得した対象座標に基づいて、裁断前構造体７０４（図１（ｃ）参照）のうち、画像部７０３に相当する部分の座標である画像部位置情報を取得する。以降のステップは、図６を参照して説明した薄膜形成方法と同様である。また、薄膜の貼付方法についても、図７を参照して説明した薄膜形成方法とほぼ同様であるため、詳しい説明は省略する。
【００９９】  ［２．４  作用・効果］  以上のような実施の形態２の薄膜貼付装置の場合、１対の支持部６２３ａが、フレーム本体６２１に対して回動しないため、回動機構を設ける必要がなく、薄膜貼付装置６００ａの構造の単純化を図れる。この結果、薄膜貼付装置６００ａの製造コストの低減を図れる。
【０１００】  また、本実施の形態の薄膜貼付装置６００ａを使用して行う薄膜形成方法によれば、ユーザ４００が薄膜貼付装置６００ａを装着した状態で、変色領域５１１を、前側から視認することができない本実施の形態の薄膜貼付装置６００ａの使用に好適な薄膜を形成できる。
【０１０１】  ［２．５  付記］  前述した薄膜貼付装置６００ａ以外で、例えば、図１３に示すような薄膜貼付装置６００ｂを、前述した薄膜形成方法で使用することができる。以下、薄膜貼付装置６００ｂについて、簡単に説明する。
【０１０２】  薄膜貼付装置６００ｂは、前述した実施の形態２の薄膜貼付装置６００ａと同様に、１対の支持部６２３ａがフレーム本体６２１と一体に形成されている。このため、一対の支持部６２３ａは、フレーム本体６２１に対して回動しない。このため、図１３（ｃ）に示すように、薄膜貼付装置６００ｂの場合も、ユーザ４００が薄膜貼付装置６００ｂを装着した状態で、変色領域５１１を前側から視認できない。
【０１０３】  また、薄膜貼付装置６００ｂのフレーム本体６２１のうち、装着状態で、ユーザ４００の額４０５の下端部と、前後方向に重畳する部分に、額覆い部６３４が設けられている。また、額覆い部６３４と、一対の支持部６２３ａとの上下方向に関する間部分に、フレーム本体６２１を前後方向に貫通した一対の貫通孔６３５が形成されている。このような貫通孔６３５は、装着状態で、ユーザ４００の目４０４と、前後方向に重畳する。従って、ユーザ４００は、装着状態で、前後方向を見通すことができる。
【０１０４】  また、フレーム本体６２１の後面のうち、ユーザ４００の鼻４０３および額４０５の下端部と前後方向に重畳する部分に、スポンジ等の弾性体６３７ａ、６３７ｂが、接着剤等を介して固定されている。このため、薄膜貼付装置６００ｂは、ユーザ４００の顔４０１の形状の個体差に対して、装着状態を弾性体６３７ａ、６３７ｂの弾性変形の範囲で調整可能である。
【０１０５】  以上のような構成を有する薄膜貼付装置６００ｂは、装着状態で、ユーザ４００と前後方向に対向する部分の面積が大きくなるため、装着状態を安定させることができる。
【０１０６】  ［３．  実施の形態３］  図１５を参照して、実施の形態３の薄膜貼付装置６００ｃについて説明する。
【０１０７】  本実施の形態の薄膜貼付装置６００ｃは、前述した実施の形態１の薄膜貼付装置６００と、フレーム６２０ｂを構成する連続部６２５ａの構造が異なる。その他の構造は、実施の形態１の薄膜貼付装置６００と同様であるため、以下、相違点を中心に説明する。
【０１０８】  薄膜貼付装置６００ｃの場合、フレーム６２０ｂを構成する連続部６２５ａの幅方向中央かつ上端寄り部分に、連続部６２５ａを前後方向に貫通した基点用貫通孔６３６が形成されている。このような基点用貫通孔６３６は、前後方向視で円形状に形成されている。なお、基点用貫通孔６３６の形状は、本実施の形態の場合に限定されない。基点用貫通孔６３６は、例えば、前後方向視で矩形、多角形等でもよい。本実施の形態の場合、基点用貫通孔６３６が、基準点指示部である装置基点となる。その他の構造は、前述した実施の形態１の薄膜貼付装置６００と同様である。
【０１０９】  ［３．１  システム構成］  次に、図５、１５を参照して、後述する薄膜形成方法で使用するメイク支援システムの構成について説明する。なお、メイク支援システムが備える画像処理装置の構成のうち、既に説明した内容と重複する構成の説明については、可能な範囲で省略する。
【０１１０】  本例の場合、画像処理装置２００が備える対象情報取得部（図示省略）は、装着判定部が、顔画像５００ｃを解析して、顔画像５００ｃに映ったユーザ４００が、薄膜貼付装置６００ｃを装着していないと判定した場合に、被装着対象画像である顔画像５００ｃから対象基点４０６ｂを取得する。そして、対象情報取得部は、図１２（ｃ）に実線で示すような、対象基点４０６ｂを原点とした対象座標系（例えば、ユーザ４００の顔の左右方向をＸ１軸、上下方向をＹ１軸とした座標系）を設定する。なお、対象基点４０６ｂは、例えば、ユーザ４００の顔に貼付したシール、塗料等により構成される。なお、顔画像５００ｃから対象基点４０６ａを取得する方法は、例えば、特開２０１４−１８３９１７号公報等に記載されている顔画像から顔の特徴点を取得する方法とほぼ同様であるため、詳細な説明は省略する。
【０１１１】  また、画像処理装置２００が備える対象情報取得部は、顔画像５００ｃから変色領域５１１を取得し、対象座標系に関する変色領域５１１の座標である対象座標を取得する。
【０１１２】  ［３．２  薄膜形成方法］  以下、図１５、１６を参照して、実施の形態３の薄膜貼付装置６００ｃを使用して行う薄膜形成方法の１例について説明する。なお、薄膜の貼付方法については、図１を参照して説明した薄膜の貼付方法と同様であるため説明は省略する。以下に説明する薄膜形成方法は、前述した画像処理装置２００を使用して行う。
【０１１３】  ［３．２．１  第１ステップ］  本例の薄膜形成方法は、先ず、ステップＳ３１において、ユーザ４００は、図１５（ａ）に示すように、薄膜貼付装置６００ｃを装着した状態で、ユーザ４００の顔４０１のうち、前後方向に関して基点用貫通孔６３６と重畳している部分である対象基点設置部４０７にシール等により構成される対象基点４０６ｂを設置する。具体的は、薄膜貼付装置６００ｃを装着した状態で、薄膜貼付装置６００ｃの前方から、薄膜貼付装置６００ｃの基点用貫通孔６３６の内側に、対象基点４０６ｂを挿入して対象基点設置部４０７に貼付する。なお、対象基点４０６ｂは、シール以外に、例えば、塗料等を対象基点設置部４０７に塗布することにより設置してもよい。
【０１１４】  ［３．２．２  第２ステップ］  次に、ステップＳ３２において、ユーザ４００は、画像処理装置２００（図５参照）のカメラ２０２により、顔４０１を撮影して顔画像５００ｃを得る。この状態で、顔画像５００ｃには、変色領域５１１が映っている。なお、本例の形態の場合も、ユーザ４００が、顔画像５００ｃを、予めデータあるいは印刷物として所持している場合には、画像処理装置２００が備える入力装置から顔画像５００ｃを入力する。また、顔画像５００ｃは、必要に応じて表示部２０３に表示する。
【０１１５】  ［３．２．３  第３ステップ］  次に、ステップＳ３３において、画像処理装置２００が備える対象情報取得部により、顔画像５００ｃから対象基点４０６ｂを取得する。そして、図１５（ｃ）に実線で示すような、対象基点４０６ｂを原点とした対象座標系（例えば、ユーザ４００の顔４０１の左右方向をＸ１軸、上下方向をＹ１軸とした座標系）を設定する。
【０１１６】  ［３．２．４  第４ステップ］  次に、ステップＳ３４において、画像処理装置２００が備える対象情報取得部により、顔画像５００ｃから変色領域５１１を取得すると共に、対象座標系に関する変色領域５１１の座標である対象座標を取得する。
【０１１７】  ［３．２．５  第５ステップ］  次に、ステップＳ３５において、画像処理装置２００が備える印刷情報取得部により、対象座標に基づいて、裁断前構造体７０４（図１（ｃ）参照）のうち、画像部７０３に相当する部分の座標である画像部位置情報を取得する。具体的には、裁断前構造体７０４を、対象座標系に配置したと仮定した状態で、裁断前構造体７０４のうち、変色領域５１１の座標に相当する座標を画像部位置情報とする。以降のステップは、図６を参照して説明した薄膜形成方法と同様である。また、薄膜の貼付方法についても、図７を参照して説明した薄膜形成方法とほぼ同様であるため、詳しい説明は省略する。
【０１１８】  ［３．３  作用・効果］  以上のような構成を有する実施の形態３の薄膜貼付装置の場合、薄膜貼付装置６００ｃに装置基点となる基点用貫通孔６３６を設けることにより、ユーザ４００が薄膜貼付装置６００ｃを装着した状態で、ユーザ４００の顔４０１に、装置基点と前後方向に重畳する対象基点４０６ｂを設置することができる。このため、薄膜貼付装置６００ｃを使用して行う薄膜形成方法において、顔４０１を撮影する回数を１回にできると共に、図１４を参照して説明した薄膜形成方法のような座標変換を行う必要がない。
【０１１９】  ［４．  実施の形態４］  以下、図１７を参照して、実施の形態４の薄膜貼付装置６００ｄについて説明する。
【０１２０】  本実施の形態の薄膜貼付装置６００ｄは、前述した実施の形態２の薄膜貼付装置６００ａと、連続部６２５ｂの構造が異なる。具体的には、薄膜貼付装置６００ｄは、連続部６２５ｂの前面に、前述した実施の形態１の薄膜貼付装置６００と同様の幅方向基準線６２６および上下方向基準線６２７が形成されている。その他の構造は、前述した実施の形態２の薄膜貼付装置６００ａと同様である。なお、画像処理装置の構成は、既に説明した画像処理装置２００の構成とほぼ同様であるため、詳しい説明は省略する。
【０１２１】  ［４．１  薄膜形成方法］  以下、図１７、１８を参照して、実施の形態４の薄膜貼付装置６００ｄに使用する薄膜を造るための薄膜形成方法の１例について説明する。なお、本例の薄膜形成方法は、既に説明した画像処理装置２００を使用して行う。
【０１２２】  ［４．１．１  第１ステップ］  本例の薄膜形成方法は、先ず、ステップＳ４１において、ユーザ４００は、図１７（ａ）に示すように、ユーザ４００の顔４０１の任意の部分（本例の場合、図１７（ａ）の左側の目の下）である対象基点設置部４０７ａにシール等により構成される対象基点４０６ｃを設置する。なお、対象基点４０６ｃは、シール以外に、例えば、化粧料、色素材料等の塗料を対象基点設置部４０７ａに塗布することにより設置してもよい。
【０１２３】  ［４．１．２  第２ステップ］  次に、ステップＳ４２において、ユーザ４００は、薄膜貼付装置６００ｄを装着せずに、画像処理装置２００（図５参照）のカメラ２０２により、顔４０１を撮影して顔画像５００ｄを得る。この状態で、顔画像５００ｄには、変色領域５１１が映っている。なお、本例の場合も、ユーザ４００が、顔画像５００ｄを、予めデータあるいは印刷物として所持している場合には、画像処理装置２００が備える入力装置から顔画像５００ｄを入力する。また、顔画像５００ｄは、必要に応じて表示部２０３に表示する。
【０１２４】  ［４．１．３  第３ステップ］  次に、ステップＳ４３において、画像処理装置２００が備える対象情報取得部により、顔画像５００ｄから対象基点４０６ｃを取得する。そして、図１７（ｂ）に破線で示すような、対象基点４０６ｃを原点とした対象座標系（例えば、ユーザ４００の顔４０１の左右方向をＸ２軸、上下方向をＹ２軸とした座標系）を設定する。
【０１２５】  ［４．１．４  第４ステップ］  次に、ステップＳ４４において、画像処理装置２００が備える対象情報取得部により、顔画像５００ｄから変色領域５１１を取得すると共に、対象座標系に関する変色領域５１１の座標である対象座標を取得する。
【０１２６】  ［４．１．５  第５ステップ］  次に、ステップＳ４５において、顔画像５００ｄのうち、薄膜貼付装置６００ａの装着状態で、薄膜貼付装置６００ａの幅方向基準線６２６と上下方向基準線６２７との交点と前後方向に重畳する部分（本例の場合、鼻筋に沿う線α１と、両目の目頭同士を結んだ線α２との交点）を基準点指示部である装置基点５０１ｂとし、図１７（ｂ）に実線で示すような、装置基点５０１ｂを原点とした装置座標系（例えば、ユーザ４００の顔４０１の左右方向をＸ１軸、上下方向をＹ１軸とした座標系）を設定する。
【０１２７】  ［４．１．６  第６ステップ］  次に、ステップＳ４６において、対象座標系に関する変色領域５１１の座標である対象座標を、装置座標系に関する変色領域５１１の座標に座標変換して、座標変換後の座標を修正対象座標として取得する。具体的には、例えば、図１７（ｂ）に示すように、対象座標系（Ｘ２、Ｙ２）に関する変色領域５１１の座標である（Ｘ２ａ、Ｙ２ａ）を、装置座標系（Ｘ１、Ｙ１）に関する座標である（Ｘ１ａ、Ｙ１ａ）へと座標変換する。なお、このような座標変換を、変色領域５１１を構成する全ての点に関して行う。
【０１２８】  ［４．１．７  第７ステップ］  次に、ステップＳ４７において、画像処理装置２００が備える印刷情報取得部により、修正対象座標に基づいて、裁断前構造体７０４（図１（ｃ）参照）のうち、画像部７０３に相当する部分の座標である画像部位置情報を取得する。具体的には、裁断前構造体７０４を、装置座標系に配置したと仮定した状態で、裁断前構造体７０４のうち、変色領域５１１の座標に相当する座標を画像部位置情報とする。以降のステップは、図６を参照して説明した薄膜形成方法と同様である。
【０１２９】  なお、薄膜７０２（図１参照）を変色領域５１１に貼付する際には、薄膜貼付装置６００ａの幅方向基準線６２６と上下方向基準線６２７との交点が、ユーザ４００の鼻筋に沿う線α１と、両目の目頭同士を結んだ線α２との交点と前後方向に関して重畳する状態で、薄膜貼付装置６００ａを装着する。その他の薄膜の貼付方法については、図７を参照して説明した薄膜形成方法とほぼ同様であるため、詳しい説明は省略する。
【０１３０】  ［４．２  作用・効果］  以上のような構成を有する本実施の形態の薄膜貼付装置の場合も、前述した薄膜形成方法でユーザ４００が顔４０１を撮影する回数を１回にできるため、作業時間の短縮および作業効率の向上を図れる。また、前述した薄膜形成方法は、例えば、装置基点５０１ｂと変色領域５１１との距離が長く、装置基点５０１ｂを基準とした変色領域５１１の座標を直接求めにくい場合に有効である。
【０１３１】  ［５．本開示に係る付記］  前述した各実施の形態では、ユーザの顔のシミを隠す用途に用いられる薄膜貼付装置について説明した。ただし、本開示に係る薄膜貼付装置および薄膜形成方法は、例えば、ユーザの肌に貼付するフェイクタトゥやボディーペイント等の用途で実施することもできる。この場合には、フェイクタトゥやボディーペイントを貼付する面を画像処理装置２００のシミュレーションにより仮想面として求め、当該仮想面を被貼付面として、本開示に係る薄膜形成方法を適用する。
【０１３２】  また、本開示に係る薄膜貼付装置を、ユーザの顔を事前に３Ｄスキャンして得たデータに基づいて造れば、個々のユーザに適した形状の薄膜貼付装置を得ることができる。一方、多数のユーザのデータ（例えば、顔形状）を集計して大多数のユーザに合う標準形状の薄膜貼付装置を設計すれば、量産化が可能となり製造コストの低減を図れる。
【産業上の利用可能性】
【０１３３】  本開示に係る薄膜貼付装置および薄膜形成方法は、特に、美容に関する用途に有用である。
【符号の説明】
【０１３４】  １００  メイク支援システム  ２００  画像処理装置  ２０１  照明部  ２０２  カメラ  ２０３  表示部  ３００  印刷装置  ４００  ユーザ  ４０１  顔  ４０２  耳  ４０３  鼻  ４０４  目  ４０５  額  ４０６，４０６ａ，４０６ｂ，４０６ｃ  対象基点  ４０７，４０７ａ  対象基点設置部  ５００，５００ａ，５００ｂ，５００ｃ，５００ｄ  顔画像  ５０１，５０１ｂ  装置基点  ５１１  変色領域  ５１２  周辺領域  ６００，６００ａ，６００ｂ，６００ｃ，６００ｄ  薄膜貼付装置  ６２０，６２０ｂ  フレーム  ６２１  フレーム本体  ６２２  係止部  ６２３，６２３ａ  支持部  ６２４  フレーム素子  ６２５，６２５ａ，６２５ｂ  連続部  ６２６  幅方向基準線  ６２７  上下方向基準線  ６２８  中央フレーム  ６２９  内側フレーム  ６３０  外側フレーム  ６３１  ヒンジ機構  ６３２，６３２ａ  保持凹部  ６３３  フレーム側固定部  ６３４  額覆い部  ６３５  貫通孔  ６３６  基点用貫通孔  ６３７ａ，６３７ｂ  弾性体  ６４０  薄膜保持部材  ６４１  支持台  ６４２  軟性部材  ６４３  支持台側固定部  ６４４  仮貼付部  ６６０  保持具  ６６１  凹部  ６６２，６６２ａ  弾性体  ６６３  水の層  ７００  薄膜構造体  ７０１  支持体  ７０２  薄膜  ７０３  画像部  ７０４  裁断前構造体  ７０５  裁断前支持体  ７０６  裁断前薄膜  ７０７  印刷基点  ７０８  レーザ  ７０９  カッタ
【図１】
2018061596.tif 000003
【図２】
2018061596.tif 000004
【図３】
2018061596.tif 000005
【図４】
2018061596.tif 000006
【図５】
2018061596.tif 000007
【図６】
2018061596.tif 000008
【図７】
2018061596.tif 000009
【図８】
2018061596.tif 000010
【図９】
2018061596.tif 000011
【図１０】
2018061596.tif 000012
【図１１】
2018061596.tif 000013
【図１２】
2018061596.tif 000014
【図１３】
2018061596.tif 000015
【図１４】
2018061596.tif 000016
【図１５】
2018061596.tif 000017
【図１６】
2018061596.tif 000018
【図１７】
2018061596.tif 000019
【図１８】
2018061596.tif 000020
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
貼付対象の被貼付面への薄膜の貼付に用いる薄膜貼付装置であって、
前記貼付対象に装着可能なフレームと、
使用時に前記被貼付面と対向する側面に、前記薄膜を仮貼付可能な仮貼付部を備え、前記仮貼付部を前記被貼付面に押付可能に前記フレームに支持され、かつ、前記フレームに対して着脱可能である薄膜保持部材と、
前記フレームが前記貼付対象に装着されたときに前記薄膜保持部材の前記側面が前記被貼付面に対向するよう前記薄膜保持部材を支持する支持部と、を備え、
前記支持部は、前記フレームのフレーム本体に対して変位可能に設けられており、前記フレームが前記貼付対象に装着されたときに前記支持部が前記被貼付面を覆う第１の位置と、前記フレームが前記貼付対象に装着されたときに前記支持部が前記被貼付面を覆わない第２の位置との間を移動する、薄膜貼付装置。
【請求項２】
前記薄膜保持部材が、
前記フレームに着脱可能な支持台と、
前記支持台に積層した状態で固定された軟性部材と、を備え、
前記軟性部材のうち、使用時に前記被貼付面と対向する側面に前記仮貼付部が設けられている、
請求項１に記載の薄膜貼付装置。
【請求項３】
前記フレームが、前記貼付対象に係止可能な係止部を有する、
請求項１に記載の薄膜貼付装置。
【請求項４】
前記仮貼付部が、曲面状である、
請求項１に記載の薄膜貼付装置。
【請求項５】
前記フレームは、前記貼付対象に装着されたときに前記被貼付面の位置座標取得の基準点を示す基準点指示部を有する、
請求項１に記載の薄膜貼付装置。
【請求項６】
薄膜貼付装置の仮貼付部に仮貼付された状態で貼付対象の被貼付面に押し付けられて前記被貼付面に貼付される薄膜を形成する、薄膜形成方法であって、
前記貼付対象を被写体とする画像であって、少なくとも被貼付面を含む、対象画像を取得するステップと、
前記対象画像のうち、前記薄膜貼付装置上の基準点に対する、前記被貼付面に相当する位置の座標を、対象座標として取得するステップと、
前記薄膜の薄膜素材上の、前記基準点に対する前記対象座標に相当する部分に、前記被貼付面に重畳する重畳画像を印刷するステップと、
を備え、
前記対象画像を取得するステップにおいて、前記対象画像に、解放状態の前記薄膜貼付装置を装着した前記貼付対象が映っており、
前記対象座標として取得するステップにおいて、前記基準点を、前記薄膜貼付装置の前面に形成された装置基点とする、
薄膜形成方法。
【請求項７】
前記対象画像を取得するステップにおいて、前記対象画像に、前記薄膜貼付装置を装着していない前記貼付対象が映っており、
前記対象座標を取得するステップにおいて、前記対象画像から前記貼付対象の対象基点を取得し、前記対象基点に対する前記被貼付面に相当する位置の座標を、前記薄膜貼付装置上の基準点を原点とした座標に座標変換して、前記対象座標とする、
請求項６に記載の薄膜形成方法。
【国際調査報告】
2018061596.tif 000021
2018061596.tif 000022
2018061596.tif 000023
2018061596.tif 000024